(57)【要約】【課題】信号線へ２系統の３ポジションスイッチを接続可能な回路構成にあっての１系統のみの操作又は２系統の同時操作に際しても誤動作無く安定したオン・オフの切り替え動作が可能な３ポジションスイッチを提供すること。【解決手段】このスイッチの場合、従来通りに信号線へ主接点ｐ１，ｐ２を並列接続して成る３ポジション基本スイッチに対し、押込みモニタスイッチ（３ポジションスイッチ）の補助接点ｑ１，ｑ２を直列接続した上、信号系として主接点ｐ１，補助接点ｑ１の組み合わせをスイッチＳＷ１、主接点ｐ２，補助接点ｑ２の組み合わせをスイッチＳＷ２として構成される以外、基本動作機能後の押込み操作でポジション３からポジション２へ復帰移行したときに各主接点ｐ１，ｐ２を開成維持すると共に、補助接点ｑ１を開成維持し、且つ補助接点ｑ２を閉成維持して各スイッチＳＷ１，ＳＷ２をオフとする切り替え動作機能を有する。【選択図】　　　図１
2004087187.tif 000002
【特許請求の範囲】
【請求項１】
信号線へ２つの主接点を並列接続して成る第１の３ポジションスイッチに対し、第２の３ポジションスイッチの２つの補助接点を直列接続した上、信号系として該２つの主接点及び該２つの補助接点のうちのそれぞれ一つのものの組み合わせを第１のスイッチとし、且つ該２つの主接点及び該２つの補助接点のうちの残りのそれぞれ一つのものの組み合わせを第２のスイッチとして構成されると共に、該第１の３ポジションスイッチの該２つの主接点と該第２の３ポジションスイッチの該２つの補助接点とをそれぞれ３段階の押込み操作に応じてオン・オフさせて切り替え動作することで該信号線における導通・遮断を制御可能な３ポジションスイッチにおいて、前記第１の３ポジションスイッチ及び前記第２の３ポジションスイッチは、前記３段階の押込み操作に応じた前記２つの主接点及び前記２つの補助接点の開成・閉成動作として、１段階の押込み操作により初期状態の押込まれていない第１の位置で該２つの主接点を開成すると共に、該２つの補助接点を閉成して前記第１のスイッチ及び前記第２のスイッチをオフとし、２段階の押込み操作により該第１の位置から第２の位置に移行したときに該２つの主接点の一方のみを閉成すると共に、該２つの補助接点を閉成維持して該第１のスイッチをオン，該第２のスイッチをオフとし、３段階の押込み操作により該第２の位置から第３の位置に移行したときに該２つの主接点の両方を開成すると共に、該２つの補助接点の一方を開成し、且つ他方を閉成維持して該第１のスイッチ及び該第２のスイッチをオフとし、更なる回路全体の導通を遮断するための押込み操作により該第３の位置から該第２の位置へ復帰したときに該２つの主接点を開成維持すると共に、該２つの補助接点の一方を開成維持し、且つ他方を閉成維持して該第１のスイッチ及び該第２のスイッチをオフとし、該第２の位置から該第１の位置へ復帰したときに該２つの主接点を開成維持すると共に、該２つの補助接点を閉成して該第１のスイッチ及び該第２のスイッチをオフとする切り替え動作機能を有することを特徴とする３ポジションスイッチ。
【請求項２】
請求項１記載の３ポジションスイッチにおいて、前記２つの主接点を含む前記第１の３ポジションスイッチ及び前記２つの補助接点を含む前記第２の３ポジションスイッチはケース内に配備され、更に、前記３段階の押込み操作に供される押込み移動可能な操作部と、前記操作部の突出した局部に係合されて該操作部本体の押込み移動を案内可能であると共に、該操作部本体の押込み移動に際して前記第１の３ポジションスイッチの前記２つの主接点に対して端部の接触部分が接触可能なように本体をスライドさせて位置決めするためのカム溝を有する導電性の主接点用スライド板と、前記操作部の突出した局部に係合されて該操作部本体の押込み移動を案内可能であると共に、該操作部本体の押込み移動に際して前記第２の３ポジションスイッチの前記２つの補助接点に対して端部の接触部分が接触可能なように本体をスライドさせて位置決めするためのカム溝を有する導電性の補助接点用スライド板と、前記第１の３ポジションスイッチの前記２つの主接点及び前記第２の３ポジションスイッチの前記２つの補助接点が突出露呈されるように取り付けられて前記主接点用スライド板及び前記補助接点用スライド板のスライドを案内するためのガイド板とを前記ケース内に前記切り替え動作機能が得られるように組み付けて構成されることを特徴とする３ポジションスイッチ。
【請求項３】
信号線へ２つの主接点を並列接続して成る第１の３ポジションスイッチに対し、第２の３ポジションスイッチの２つの補助接点を直列接続した上、信号系として該２つの主接点及び該２つの補助接点のうちのそれぞれ一つのものの組み合わせを第１のスイッチとし、且つ該２つの主接点及び該２つの補助接点のうちの残りのそれぞれ一つのものの組み合わせを第２のスイッチとして構成される回路にあっての該第１の３ポジションスイッチの該２つの主接点と該第２の３ポジションスイッチの該２つの補助接点とをそれぞれ３段階の押込み操作に応じてオン・オフさせて切り替え動作することで該信号線における導通・遮断を制御する３ポジションスイッチの接続方法において、前記３段階の押込み操作に応じた前記２つの主接点及び前記２つの補助接点の開成・閉成動作として、１段階の押込み操作により前記第１の３ポジションスイッチ及び前記第２の３ポジションスイッチが初期状態の押込まれていない第１の位置で該２つの主接点を開成すると共に、該２つの補助接点を閉成して前記第１のスイッチ及び前記第２のスイッチをオフとし、２段階の押込み操作により該第１の３ポジションスイッチ及び該記第２の３ポジションスイッチが該第１の位置から第２の位置に移行したときに該２つの主接点の一方のみを閉成すると共に、該２つの補助接点を閉成維持して該第１のスイッチをオン，該第２のスイッチをオフとし、３段階の押込み操作により該第１の３ポジションスイッチ及び該記第２の３ポジションスイッチが該第２の位置から第３の位置に移行したときに該２つの主接点の両方を開成すると共に、該２つの補助接点の一方を開成し、且つ他方を閉成維持して該第１のスイッチ及び該第２のスイッチをオフとし、更なる回路全体の導通を遮断するための押込み操作により該第１の３ポジションスイッチ及び該記第２の３ポジションスイッチが該第３の位置から該第２の位置へ復帰したときに該２つの主接点を開成維持すると共に、該２つの補助接点の一方を開成維持し、且つ他方を閉成維持して該第１のスイッチ及び該第２のスイッチをオフとし、該第１の３ポジションスイッチ及び該記第２の３ポジションスイッチが該第２の位置から該第１の位置へ復帰したときに該２つの主接点を開成維持すると共に、該２つの補助接点を閉成して該第１のスイッチ及び該第２のスイッチをオフとする切り替え動作を行うことを特徴とする３ポジションスイッチの接続方法。
【発明の詳細な説明】
【０００１】
【発明の属する技術分野】
本発明は、主として各種産業用装置に備えられてオペレータの安全な操作に供される３ポジションスイッチに関し、詳しくは２系統の３ポジションスイッチを接続可能な回路構成での１系統のみの操作又は２系統の同時操作に際して安定したオン・オフの切り替え動作が可能な３ポジションスイッチ及びその接続方法に関する。
【０００２】
【従来の技術】
従来、この種の３ポジションスイッチは、各種産業用装置においてオペレータの操作時の安全性確保のために適用が義務付けられている。こうした３ポジションスイッチの場合、通常信号線に対して単独で用いられる場合が多いが、最近では操作ユニットを左右の何れでも持てることを可能にしたり、或いは持ち方を変えて使用可能にするような要求に応えるべく、２個の３ポジションスイッチを用いた回路構成のものが必要とされている。
【０００３】
このような３ポジションスイッチに関連する周知技術としては、例えば特開平７−２６２８６５号公報に開示されたものが挙げられる。この３ポジションスイッチは、図６に示した回路構成を参照すれば、信号線に対して２つの主接点ｐ１，ｐ２を並列に接続したものをそれぞれスイッチＳＷ１，ＳＷ２と成しており、各スイッチＳＷ１，ＳＷ２における各主接点ｐ１，ｐ２を３段階の押込み操作に応じてオン・オフさせて切り替え動作することで信号線における導通・遮断を制御可能となっている。尚、この３ポジションスイッチの場合、押込まれていない自由状態（ポジション１）では図示されるように、各主接点ｐ１，ｐ２が開成していることで各スイッチＳＷ１，ＳＷ２が何れもオフとなっている。これにより、回路全体において、各スイッチＳＷ１，ＳＷ２に関する２系統分の信号線が導通遮断された状態となっている。
【０００４】
図７は、この３ポジションスイッチの動作モードを示した回路構成であり、同図（ａ）はポジション２に関するもの，同図（ｂ）はポジション３に関するもの，同図（ｃ）はポジション３からポジション１への復帰時での正常状態に関するもの，同図（ｄ）はポジション３からポジション１への復帰時での異常状態に関するものである。
【０００５】
この３ポジションスイッチの場合、図６に示した押込まれていない自由状態　（ポジション１）から押込み操作してポジション２に至ると図７（ａ）に示されるように、主接点ｐ１が閉成，主接点ｐ２が開成した状態となり、スイッチＳＷ１がオン，スイッチＳＷ２がオフとなる。これにより、回路全体において、スイッチＳＷ１に関する１系統分の信号線が導通する。
【０００６】
更に、引き続く押込み操作によるポジション３では図７（ｂ）に示されるように、各主接点ｐ１，ｐ２が何れも閉成した状態となり、各スイッチＳＷ１，ＳＷ２が何れもオンとなる。これにより、回路全体において、各スイッチＳＷ１，ＳＷ２に関する２系統分の信号線が導通する。
【０００７】
こうした基本機能動作にあって、更に回路全体の導通を遮断するために押込み操作によりポジション３からポジション１へ復帰させると図７（ｃ）に示されるように、各主接点ｐ１，ｐ２が何れも開成した状態となり、各スイッチＳＷ１，ＳＷ２が何れもオフとなる。これにより、回路全体において、各スイッチＳＷ１，ＳＷ２に関する２系統分の信号線が導通遮断された状態となる。
【０００８】
ところが、この３ポジションスイッチの場合、構造上、略図した押込み操作用ボタンの本体部分がケース内でスプリングにより結合されており、押込み操作用ボタンのスイッチ操作杆が押込み操作時にケース内でスプリングの弾性力に抗して移動するときに機械的に３つのポジションに位置決めされた上、ケース内に配備された各スイッチＳＷ１，ＳＷ２の各主接点ｐ１，ｐ２に接触されて各主接点ｐ１，ｐ２を開閉可能なように構成されるため、しばしば回路全体の導通を遮断しようとして押込み操作によるポジション３からポジション１への復帰を試みたときに図７（ｃ）に示した正常状態以外、図７（ｄ）に示されるように、押込み操作時に一方の主接点ｐ１がポジション１の接続状態に復帰されて開成した状態となっても、他方の主接点ｐ２が正常な押込みによるポジション３の接続状態のままとなって閉成した状態でスイッチＳＷ２がオンとなる誤動作を起こすことがあり、こうした場合、回路全体において、スイッチＳＷ２に関する１系統分の信号線が導通してしまう異常状態となる。従って、この３ポジションスイッチの場合には、押込み操作により安定したオン・オフの切り替え動作を行うことができないという問題がある。
【０００９】
そこで、こうした問題を解決するため、例えば図８に示されるような２個の３ポジションスイッチを配備した回路構成の３ポジションスイッチも開発されている。この３ポジションスイッチは、信号線へ２つの主接点ｐ１，ｐ２を並列接続して成る３ポジション基本スイッチ（第１の３ポジションスイッチ）に対し、更に押込みモニタスイッチ（第２の３ポジションスイッチ）の２つの補助接点ｑ１，ｑ２を直列接続した上、信号系として主接点ｐ１及び補助接点ｑ１の組み合わせをスイッチＳＷ１とし、且つ主接点ｐ２及び補助接点ｑ２の組み合わせをスイッチＳＷ２として構成されると共に、３ポジション基本スイッチの各主接点ｐ１，ｐ２と押込みモニタスイッチの各補助接点ｑ１，ｑ２とを３段階の押込み操作に応じてオン・オフさせて切り替え動作することで信号線における導通・遮断を制御可能となっている。尚、この３ポジションスイッチの場合、３ポジション基本スイッチ及び押込みモニタスイッチが押込まれていない押込み状態１（３ポジション基本スイッチ及び押込みモニタスイッチの非押込み状態でのポジション１を示す）では図示されるように、３ポジション基本スイッチの各主接点ｐ１，ｐ２が何れも開成した状態であると共に、押込みモニタスイッチの各補助接点ｑ１，ｑ２が何れも閉成した状態であることにより、各スイッチＳＷ１，ＳＷ２が何れもオフとなる。これにより、回路全体において、各スイッチＳＷ１，ＳＷ２に関する２系統分の信号線が導通遮断された状態となっている。
【００１０】
図９は、この３ポジションスイッチにおける各接点ｐ１，ｐ２，ｑ１，ｑ２の接続動作に伴う動作モードを示した回路構成であり、同図（ａ）は押込み状態２に関するもの，同図（ｂ）は押込み状態３に関するもの，同図（ｃ）は押込み状態４に関するもの，同図（ｄ）は押込み状態５に関するもの，同図（ｅ）は押込み状態６に関するものである。
【００１１】
この３ポジションスイッチの場合、図８に示した押込まれていない押込み状態（非押込み状態）１から押込み操作により３ポジション基本スイッチ及び押込みモニタスイッチが押込まれた押込み状態２（ポシション２）に至ると図９（ａ）に示されるように、３ポジション基本スイッチの主接点ｐ１が閉成し、且つ主接点ｐ２が開成した状態を維持すると共に、押込みモニタスイッチの各補助接点ｑ１，ｑ２が何れも閉成した状態を維持するので、スイッチＳＷ１がオン，スイッチＳＷ２がオフとなる。これにより、回路全体において、スイッチＳＷ１に関する１系統分の信号線が導通する。
【００１２】
又、引き続く押込み操作により３ポジション基本スイッチ及び押込みモニタスイッチが押込まれた押込み状態３（３ポジション基本スイッチ及び押込みモニタスイッチのポジション２からポジション３に至る途中を示す）に至ると図９（ｂ）に示されるように、３ポジション基本スイッチの主接点ｐ１が開成し、且つ主接点ｐ２が開成した状態を維持すると共に、押込みモニタスイッチの補助接点ｑ１が開成し、且つ補助接点ｑ２が閉成した状態を維持するので、各スイッチＳＷ１，ＳＷ２が何れもオフとなる。これにより、回路全体において、各スイッチＳＷ１，ＳＷ２に関する２系統分の信号線が導通遮断された状態となる。
【００１３】
更に、引き続く押込み操作により３ポジション基本スイッチ及び押込みモニタスイッチが押込まれた押込み状態４（ポジション３）に至ると図９（ｃ）に示されるように、３ポジション基本スイッチの各主接点ｐ１，ｐ２が何れも閉成すると共に、押込みモニタスイッチの各補助接点ｑ１，ｑ２が何れも閉成するので、各スイッチＳＷ１，ＳＷ２が何れもオンとなる。これにより、回路全体において、各スイッチＳＷ１，ＳＷ２に関する２系統分の信号線が導通する。
【００１４】
こうした基本機能動作後に、更に回路全体の導通を遮断するために押込み操作により３ポジション基本スイッチ及び押込みモニタスイッチが押込まれた押込み状態５（３ポジション基本スイッチ及び押込みモニタスイッチのポジション３からポジション２への復帰途中を示す）に至ると図９（ｄ）に示されるように、３ポジション基本スイッチの主接点ｐ１が開成し、且つ主接点ｐ２が閉成した状態を維持すると共に、押込みモニタスイッチの補助接点ｑ１が閉成し、且つ補助接点ｑ２が閉成した状態を維持するので、各スイッチＳＷ１，ＳＷ２が何れもオフとなる。これにより、回路全体において、各スイッチＳＷ１，ＳＷ２に関する２系統分の信号線が導通遮断された状態となる。
【００１５】
このような状態から更に引き続く押込み操作により３ポジション基本スイッチ及び押込みモニタスイッチが押込まれた押込み状態６（３ポジション基本スイッチ及び押込みモニタスイッチのポジション２からポジション１への復帰途中を示す）に至ると図９（ｅ）に示されるように、３ポジション基本スイッチの各主接点ｐ１，ｐ２が何れも開成すると共に、押込みモニタスイッチの各補助接点ｑ１，ｑ２が何れも閉成するので、各スイッチＳＷ１，ＳＷ２が何れもオフとなることにより、回路全体では各スイッチＳＷ１，ＳＷ２に関する２系統分の信号線が導通遮断された状態となる。
【００１６】
因みに、上述した３ポジションスイッチに関連するその他の周知技術としては、例えば特開平１１−５８２８９号公報に開示された「ロボット非常停止用デッドマンスイッチ機構並びに教示操作盤」等が挙げられる。
【００１７】
【発明が解決しようとする課題】
上述した２個の３ポジションスイッチを用いた回路構成の３ポジションスイッチの場合、図６で説明したタイプのものと同様に、略図した押込み操作用ボタンの本体部分がケース内でスプリングにより結合されており、押込み操作用ボタンのスイッチ操作杆が押込み操作時にケース内でスプリングの弾性力に抗して移動するときに機械的に３つのポジションに位置決めされた上、ケース内に配備された各スイッチの各主接点又は各補助接点に接触されて各主接点又は各補助接点を閉成又は開成可能なように構成されるため、基本機能動作後の回路全体の導通を遮断するための押込み操作により３ポジション基本スイッチ及び押込みモニタスイッチをポジション３からポジション２へ復帰させる押込み状態５では図９（ｄ）に示した正常状態以外、しばしば図１０に示されるように、押込み操作時に３ポジション基本スイッチの主接点ｐ１が開成し、且つ主接点ｐ２が閉成した状態を維持すると共に、押込みモニタスイッチの補助接点ｑ１が戻って閉成し、且つ補助接点ｑ２が閉成を維持する誤動作を起こし、スイッチＳＷ１がオフでもスイッチＳＷ２がオンとなることがあり、こうした場合、回路全体ではスイッチＳＷ２に関する１系統分の信号線が導通してしまう異常状態を生じることになるので、この３ポジションスイッチにおいても押込み操作により安定したオン・オフの切り替え動作を行うことができないという問題がある。
【００１８】
本発明は、このような問題点を解決すべくなされたもので、その技術的課題は、信号線へ２系統の３ポジションスイッチを接続可能な回路構成にあっての１系統のみの操作又は２系統の同時操作に際しても誤動作無く安定したオン・オフの切り替え動作が可能な３ポジションスイッチ及びその接続方法を提供することにある。
【００１９】
【課題を解決するための手段】
本発明によれば、信号線へ２つの主接点を並列接続して成る第１の３ポジションスイッチに対し、第２の３ポジションスイッチの２つの補助接点を直列接続した上、信号系として該２つの主接点及び該２つの補助接点のうちのそれぞれ一つのものの組み合わせを第１のスイッチとし、且つ該２つの主接点及び該２つの補助接点のうちの残りのそれぞれ一つのものの組み合わせを第２のスイッチとして構成されると共に、該第１の３ポジションスイッチの該２つの主接点と該第２の３ポジションスイッチの該２つの補助接点とをそれぞれ３段階の押込み操作に応じてオン・オフさせて切り替え動作することで該信号線における導通・遮断を制御可能な３ポジションスイッチにおいて、第１の３ポジションスイッチ及び第２の３ポジションスイッチは、３段階の押込み操作に応じた２つの主接点及び２つの補助接点の開成・閉成動作として、１段階の押込み操作により初期状態の押込まれていない第１の位置で該２つの主接点を開成すると共に、該２つの補助接点を閉成して第１のスイッチ及び第２のスイッチをオフとし、２段階の押込み操作により該第１の位置から第２の位置に移行したときに該２つの主接点の一方のみを閉成すると共に、該２つの補助接点を閉成維持して該第１のスイッチをオン，該第２のスイッチをオフとし、３段階の押込み操作により該第２の位置から第３の位置に移行したときに該２つの主接点の両方を開成すると共に、該２つの補助接点の一方を開成し、且つ他方を閉成維持して該第１のスイッチ及び該第２のスイッチをオフとし、更なる回路全体の導通を遮断するための押込み操作により該第３の位置から該第２の位置へ復帰したときに該２つの主接点を開成維持すると共に、該２つの補助接点の一方を開成維持し、且つ他方を閉成維持して該第１のスイッチ及び該第２のスイッチをオフとし、該第２の位置から該第１の位置へ復帰したときに該２つの主接点を開成維持すると共に、該２つの補助接点を閉成して該第１のスイッチ及び該第２のスイッチをオフとする切り替え動作機能を有する３ポジションスイッチが得られる。
【００２０】
又、本発明によれば、上記３ポジションスイッチにおいて、２つの主接点を含む第１の３ポジションスイッチ及び２つの補助接点を含む第２の３ポジションスイッチはケース内に配備され、更に、３段階の押込み操作に供される押込み移動可能な操作部と、操作部の突出した局部に係合されて該操作部本体の押込み移動を案内可能であると共に、該操作部本体の押込み移動に際して第１の３ポジションスイッチの２つの主接点に対して端部の接触部分が接触可能なように本体をスライドさせて位置決めするためのカム溝を有する導電性の主接点用スライド板と、操作部の突出した局部に係合されて該操作部本体の押込み移動を案内可能であると共に、該操作部本体の押込み移動に際して第２の３ポジションスイッチの２つの補助接点に対して端部の接触部分が接触可能なように本体をスライドさせて位置決めするためのカム溝を有する導電性の補助接点用スライド板と、第１の３ポジションスイッチの２つの主接点及び第２の３ポジションスイッチの２つの補助接点が突出露呈されるように取り付けられて主接点用スライド板及び補助接点用スライド板のスライドを案内するためのガイド板とをケース内に切り替え動作機能が得られるように組み付けて構成される３ポジションスイッチが得られる。
【００２１】
更に、本発明によれば、信号線へ２つの主接点を並列接続して成る第１の３ポジションスイッチに対し、第２の３ポジションスイッチの２つの補助接点を直列接続した上、信号系として該２つの主接点及び該２つの補助接点のうちのそれぞれ一つのものの組み合わせを第１のスイッチとし、且つ該２つの主接点及び該２つの補助接点のうちの残りのそれぞれ一つのものの組み合わせを第２のスイッチとして構成される回路にあっての該第１の３ポジションスイッチの該２つの主接点と該第２の３ポジションスイッチの該２つの補助接点とをそれぞれ３段階の押込み操作に応じてオン・オフさせて切り替え動作することで該信号線における導通・遮断を制御する３ポジションスイッチの接続方法において、３段階の押込み操作に応じた２つの主接点及び２つの補助接点の開成・閉成動作として、１段階の押込み操作により第１の３ポジションスイッチ及び第２の３ポジションスイッチが初期状態の押込まれていない第１の位置で該２つの主接点を開成すると共に、該２つの補助接点を閉成して第１のスイッチ及び第２のスイッチをオフとし、２段階の押込み操作により該第１の３ポジションスイッチ及び該第２の３ポジションスイッチが該第１の位置から第２の位置に移行したときに該２つの主接点の一方のみを閉成すると共に、該２つの補助接点を閉成維持して該第１のスイッチをオン，該第２のスイッチをオフとし、３段階の押込み操作により該第１の３ポジションスイッチ及び該第２の３ポジションスイッチが該第２の位置から第３の位置に移行したときに該２つの主接点の両方を開成すると共に、該２つの補助接点の一方を開成し、且つ他方を閉成維持して該第１のスイッチ及び該第２のスイッチをオフとし、更なる回路全体の導通を遮断するための押込み操作により該第１の３ポジションスイッチ及び該第２の３ポジションスイッチが該第３の位置から該第２の位置へ復帰したときに該２つの主接点を開成維持すると共に、該２つの補助接点の一方を開成維持し、且つ他方を閉成維持して該第１のスイッチ及び該第２のスイッチをオフとし、該第１の３ポジションスイッチ及び該第２の３ポジションスイッチが該第２の位置から該第１の位置へ復帰したときに該２つの主接点を開成維持すると共に、該２つの補助接点を閉成して該第１のスイッチ及び該第２のスイッチをオフとする切り替え動作を行う３ポジションスイッチの接続方法が得られる。
【００２２】
【発明の実施の形態】
以下に本発明の実施の形態について、図面を参照して詳細に説明する。最初に、本発明の３ポジションスイッチの接続方法の技術的概要を説明する。
【００２３】
図１は、本発明の２系統の３ポジションスイッチを接続可能な３ポジションスイッチの接続方法の動作原理を説明するための回路構成を押込み具合いに対応する押込み状態を付加して示したものであり、同図（ａ）はポジション１に関するもの，同図（ｂ）はポジション２に関するもの，同図（ｃ）はポジション３に関するもの，同図（ｄ）はポジション３からポジション２への復帰時に関するもの，同図（ｅ）はポジション２からポジション１への復帰時に関するものである。
【００２４】
ここで対象とする３ポジションスイッチの場合も、回路構成上は、図８に示した場合と同様に、信号線へ２つの主接点ｐ１，ｐ２を並列接続して成る第１の３ポジションスイッチ（３ポジション基本スイッチ）に対し、第２の３ポジションスイッチ（押込みモニタスイッチ）の２つの補助接点ｑ１，ｑ２を直列接続した上、信号系として各主接点ｐ１，ｐ２及び各補助接点ｑ１，ｑ２のうちのそれぞれ一つのものの組み合わせである主接点ｐ１及び補助接点ｑ１を第１のスイッチＳＷ１とし、且つ残りのそれぞれ一つのものの組み合わせである主接点ｐ２及び補助接点ｑ２を第２のスイッチＳＷ２として構成される点が共通しており、３ポジション基本スイッチの各主接点ｐ１，ｐ２と押込みモニタスイッチの各補助接点ｑ１，ｑ２とをそれぞれ３段階の押込み操作に応じてオン・オフさせて切り替え動作することで信号線における導通・遮断を制御する機能を有する点も共通しているが、ここでは３段階の押込み操作に応じた切り替え動作として、３ポジション基本スイッチの各主接点ｐ１，ｐ２及び押込みモニタスイッチの各補助接点ｑ１，ｑ２の開成・閉成動作を以下に説明するように行う。
【００２５】
即ち、３ポジション基本スイッチ及び押込みモニタスイッチが１段階の押込み操作により初期状態の押込まれていない第１の位置（ポジション１）では、図１（ａ）に示されるように、３ポジション基本スイッチの各主接点ｐ１，ｐ２を開成すると共に、押込みモニタスイッチの各補助接点ｑ１，ｑ２を閉成して第１のスイッチＳＷ１及び第２のスイッチＳＷ２をオフとする。これにより、回路全体において、各スイッチＳＷ１，ＳＷ２に関する２系統分の信号線が導通遮断された状態とする。
【００２６】
又、引き続く２段階の押込み操作により３ポジション基本スイッチ及び押込みモニタスイッチが第１の位置（ポジション１）から第２の位置（ポジション２）に移行したときには、図１（ｂ）に示されるように、３ポジション基本スイッチの各主接点ｐ１，ｐ２のうちの一方の主接点ｐ１を閉成し、且つ他方の主接点ｐ１を開成維持すると共に、押込みモニタスイッチの各補助接点ｑ１，ｑ２を閉成維持して第１のスイッチＳＷ１をオン，第２のスイッチＳＷ２をオフとする。これにより、回路全体において、スイッチＳＷ１に関する１系統分の信号線を導通された状態とする。
【００２７】
更に、引き続く３段階の押込み操作により３ポジション基本スイッチ及び押込みモニタスイッチが第２の位置（ポジション２）から第３の位置（ポジション３）に移行したときには、図１（ｃ）に示されるように、３ポジション基本スイッチの各主接点ｐ１，ｐ２の両方を開成すると共に、押込みモニタスイッチの各補助接点ｑ１，ｑ２のうちの一方の補助接点ｑ１を開成し、且つ他方の補助接点ｑ２を閉成維持して第１のスイッチＳＷ１及び第２のスイッチＳＷ２をオフとする。これにより、回路全体において、各スイッチＳＷ１，ＳＷ２に関する２系統分の信号線が導通遮断された状態とする。
【００２８】
加えて、このような基本機能動作後の更なる回路全体の導通を遮断するための押込み操作により３ポジション基本スイッチ及び押込みモニタスイッチが第３の位置（ポジション３）から第２の位置（ポジション２）へ復帰したときには、図１（ｄ）に示されるように、３ポジション基本スイッチの各主接点ｐ１，ｐ２を開成維持すると共に、押込みモニタスイッチの各補助接点ｑ１，ｑ２の一方の補助接点ｑ１を開成維持し、且つ他方の補助接点ｑ２を閉成維持して第１のスイッチＳＷ１及び第２のスイッチＳＷ２をオフとする。これにより、回路全体において、各スイッチＳＷ１，ＳＷ２に関する２系統分の信号線が導通遮断された状態とする。
【００２９】
更に、３ポジション基本スイッチ及び押込みモニタスイッチが第２の位置（ポジション２）から第１の位置（ポジション１）へ復帰したときには、図１（ｅ）に示されるように、３ポジション基本スイッチの各主接点ｐ１，ｐ２を開成維持すると共に、押込みモニタスイッチの各補助接点ｑ１，ｑ２の一方の補助接点ｑ１を閉成し、且つ他方の補助接点ｑ２を閉成維持して第１のスイッチＳＷ１及び第２のスイッチＳＷ２をオフとする。これにより、回路全体において、各スイッチＳＷ１，ＳＷ２に関する２系統分の信号線が導通遮断された状態とする。
【００３０】
このような切り替え動作を行えば、基本機能動作後の回路全体の導通を遮断するための押込み操作により３ポジション基本スイッチ及び押込みモニタスイッチをポジション３からポジション１へ復帰させる途中の押込み状態［特にポジション３からポジション２へ復帰させる図１（ｄ）の状態］で図１０で説明したような押込みモニタスイッチの補助接点ｑ１が戻って閉成される誤動作が回避され、動作上において誤動作無く安定して各スイッチＳＷ１，ＳＷ２をオフにした上、信号線を導通遮断することができる。従って、この３ポジションスイッチの接続方法を適用すれば、信号線へ２系統の３ポジションスイッチを接続可能な回路構成にあっての１系統のみの操作又は２系統の同時操作に際しても安定したオン・オフの切り替え動作が可能となる。
【００３１】
図２は、上述した３ポジションスイッチの接続方法を適用した本発明の一つの実施の形態に係る３ポジションスイッチの基本構成を示したもので、同図（ａ）は全体の外観斜視図に関するもの，同図（ｂ）は一部を破断した短手方向からの側面図に関するものである。又、図３は、この３ポジションスイッチの主接点接続構造の細部を示したもので、同図（ａ）は長手方向からの側面図に関するもの，同図（ｂ）は要部の外観斜視図に関するものである。更に、図４は、この３ポジションスイッチの補助接点接続構造の細部を示したもので、同図（ａ）は長手方向からの側面図に関するもの，同図（ｂ）は要部の外観斜視図に関するものである。
【００３２】
この３ポジションスイッチは、上述した切り替え動作機能が持たされる２つの主接点ｐ１，ｐ２を含む第１の３ポジションスイッチ（３ポジション基本スイッチ）としての主接点用スイッチ６と２つの補助接点ｑ１，ｑ２を含む第２の３ポジションスイッチ（押込みモニタスイッチ）としての補助接点用スイッチ７とをケース２内の底面に配備している他、更に、３段階の押込み操作に供される押込み移動可能な操作部としてのキートップ１と、キートップ１の突出した局部のボッチ１ａの一端側に係合されてキートップ１本体の押込み移動を案内可能であると共に、キートップ１本体の押込み移動に際して主接点用スイッチ６の各主接点ｐ１，ｐ２に対して端部の接触部分が接触可能なように本体をスライドさせて位置決めするためのカム溝４ａを有する導電性の主接点用スライド板４と、キートップ１の突出した局部のボッチ１ａの他端側に係合されてキートップ１本体の押込み移動を案内可能であると共に、キートップ１本体の押込み移動に際して補助接点用スイッチ７の各補助接点ｑ１，ｑ２に対して端部の接触部分が接触可能なように本体をスライドさせて位置決めするためのカム溝５ａを有する導電性の補助接点用スライド板５と、主接点用スイッチ６の各主接点ｐ１，ｐ２及び補助接点用スイッチ７の各補助接点ｑ１，ｑ２が突出露呈されるように取り付けられて主接点用スライド板４及び補助接点用スライド板５のスライドを案内するためのガイド板３とをケース２内に切り替え動作機能が得られるように組み付けて構成されている。
【００３３】
即ち、この３ポジションスイッチでは、ケース２内でキートップ１，カム溝４ａを有する主接点用スライド板４，カム溝５ａを有する補助接点用スライド板５，及びガイド板３が協働してキートップ１の押込み操作によりキートップ１のボッチ１ａが主接点用スライド板４及び補助接点用スライド板５のカム溝４ａ，５ａに沿って案内される際、主接点用スライド板４及び補助接点用スライド板５の少なくとも一方がガイド板３のガイド溝内をスライドすることで主接点用スイッチ６の各主接点ｐ１，ｐ２及び補助接点用スイッチ７の各補助接点ｑ１，ｑ２に対する接触又は非接触による開成・閉成が行われ、これにより上述したような３段階の押込み操作に応じて主接点ｐ１及び補助接点ｑ１から成るスイッチＳＷ１と主接点ｐ２及び補助接点ｑ２から成るスイッチＳＷ２とをオン・オフさせて切り替え動作することで信号線における導通・遮断を制御可能になる。
【００３４】
図５は、上述した図３（ａ），（ｂ）並びに図４（ａ），（ｂ）で説明した主接点接続構造の要部である主接点用スライド板４、及び補助接点接続構造の要部である補助接点用スライド板５の押込み具合いに対応するスライド状態（移動位置）を回路構成及び押込み状態を付加して示したものであり、同図（ａ）はポジション１に関するもの，同図（ｂ）はポジション２に関するもの，同図（ｃ）はポジション３に関するもの，同図（ｄ）はポジション３からポジション２への復帰時に関するもの，同図（ｅ）はポジション２からポジション１への復帰時に関するものである。
【００３５】
ここでは、キートップ１の押込み操作に応じた主接点用スライド板４及び補助接点用スライド板５の移動位置を示しているが、具体的には押込み操作による非押込み時（初期状態）のポジション１で主接点用スイッチ６の各主接点ｐ１，ｐ２を開成すると共に、補助接点用スイッチ７の各補助接点ｑ１，ｑ２を閉成して信号線を導通遮断する状態では、図５（ａ）に示されるように、主接点用スライド板４及び補助接点用スライド板５は基準位置にあって移動しないが、主接点用スライド板４については主接点用スイッチ６の各主接点ｐ１，ｐ２から離間されており、補助接点用スライド板５についてはその両端部の接触部分が補助接点用スイッチ７の各補助接点ｑ１，ｑ２にそれぞれ接触されるようになっている。この状態では、キートップ１のボッチ１ａの両端がそれぞれ主接点用スライド板４，補助接点用スライド板５のカム溝４ａ，５ａの最上部に位置される。
【００３６】
又、押込み操作による押込み時のポジション１からポジション２に移行したときに主接点用スイッチ６の各主接点ｐ１，ｐ２の一方の主接点ｐ１を閉成し、且つ他方の主接点ｐ２を開成維持すると共に、補助接点用スイッチ７の各補助接点ｑ１，ｑ２を閉成維持して信号線を導通させる状態では、図５（ｂ）に示されるように、補助接点用スライド板５は移動しないが、主接点用スライド板４は主接点ｐ１側へ移動してその端部の接触部分が接触する。この状態ではキートップ１のボッチ１ａの両端がそれぞれ主接点用スライド板４，補助接点用スライド板５のカム溝４ａ，５ａのほぼ中間部に位置される。
【００３７】
更に、押込み操作による押込み時のポジション２からポジション３に移行したときに主接点用スイッチ６の各主接点ｐ１，ｐ２の両方を開成すると共に、補助接点用スイッチ７の各補助接点ｑ１，ｑ２の一方の補助接点ｑ１を開成し、且つ他方の補助接点ｑ２を閉成維持して信号線を導通遮断する状態では、図５（ｃ）に示されるように、主接点用スライド板４は主接点ｐ１側から幾分離れて主接点ｐ２側の方向へ移動し、補助接点用スライド板５は補助接点ｑ１側から離れて補助接点ｑ２のみに接触する方向へ移動する。この状態ではキートップ１のボッチ１ａの両端がそれぞれ主接点用スライド板４，補助接点用スライド板５のカム溝４ａ，５ａの最下位に位置される。
【００３８】
加えて、こうした基本機能動作後の更なる回路全体の導通を遮断するための押込み操作によりポジション３からポジション２へ復帰したときに主接点用スイッチ６の各主接点ｐ１，ｐ２を開成維持すると共に、補助接点用スイッチ７の各補助接点ｑ１，ｑ２の一方の補助接点ｑ１を開成維持し、且つ他方の補助接点ｑ２を閉成維持して信号線を導通遮断する状態では、図５（ｄ）に示されるように、主接点用スライド板４は主接点ｐ２側から離れて主接点ｐ１側の方向へ移動し、補助接点用スライド板５は補助接点ｑ２のみに接触される状態を維持するように移動しない。この状態ではキートップ１のボッチ１ａの両端がそれぞれ主接点用スライド板４，補助接点用スライド板５のカム溝４ａ，５ａのほぼ中間部に位置される。
【００３９】
更に、ポジション２からポジション１へ復帰したときに主接点用スイッチ６の各主接点ｐ１，ｐ２を開成維持すると共に、補助接点用スイッチ７の各補助接点ｑ１，ｑ２の一方の補助接点ｑ１を閉成し、且つ他方の補助接点ｑ２を閉成維持して信号線を導通遮断する状態では、図５（ｅ）に示されるように、主接点用スライド板４は主接点ｐ１側から幾分離れて主接点ｐ２側の方向へ移動し、補助接点用スライド板５は補助接点ｑ２側から幾分離れながらも接触を維持しつつ補助接点ｑ１にも接触されるように補助接点ｑ１側の方向に移動することで図５（ａ）に示した基準位置に戻る。この状態ではキートップ１のボッチ１ａの両端がそれぞれ主接点用スライド板４，補助接点用スライド板５のカム溝４ａ，５ａの最上部に位置される。
【００４０】
このような動作に従うことにより、ここでの第１の３ポジションスイッチである主接点用スイッチ６及び第２の３ポジションスイッチである補助接点用スイッチ７は、上述したキートップ１，カム溝４ａを有する主接点用スライド板４，カム溝５ａを有する補助接点用スライド板５，及びガイド板３が協働することで得られるキートップ１の３段階の押込み操作に応じた２つの主接点ｐ１，ｐ２及び２つの補助接点ｑ１，ｑ２の開成・閉成動作として、１段階の押込み操作により初期状態の押込まれていない第１の位置（ポジション１）で各主接点ｐ１，ｐ２を開成すると共に、各補助接点ｑ１，ｑ２を閉成して第１のスイッチＳＷ１及び第２のスイッチＳＷ２をオフとし、２段階の押込み操作により第１の位置（ポジション１）から第２の位置（ポジション２）に移行したときに各主接点ｐ１，ｐ２の一方の主接点ｐ１を閉成し、且つ他方の主接点ｐ２を開成維持すると共に、各補助接点ｑ１，ｑ２を閉成維持して第１のスイッチＳＷ１をオン，第２のスイッチＳＷ２をオフとし、３段階の押込み操作により第２の位置（ポジション２）から第３の位置（ポジション２）に移行したときに各主接点ｐ１，ｐ２の両方を開成すると共に、各補助接点ｑ１，ｑ２の一方の補助接点ｑ１を開成し、且つ他方の補助接点ｑ２を閉成維持して第１のスイッチＳＷ１及び第２のスイッチＳＷ２をオフとし、更なる回路全体の導通を遮断するための押込み操作により第３の位置（ポジション３）から第２の位置（ポジション２）へ復帰したときに各主接点ｐ１，ｐ２を開成維持すると共に、各補助接点ｑ１，ｑ２の一方の補助接点ｑ１を開成維持し、且つ他方の補助接点ｑ２を閉成維持して第１のスイッチＳＷ１及び第２のスイッチＳＷ２をオフとし、第２の位置（ポジション２）から第１の位置（ポジション１）へ復帰したときに各主接点ｐ１，ｐ２を開成維持すると共に、各補助接点ｑ１，ｑ２を閉成して第１のスイッチＳＷ１及び第２のスイッチＳＷ２をオフとする切り替え動作機能を有するものとなる。
【００４１】
【発明の効果】
以上に説明したように、本発明によれば、２系統の３ポジションスイッチを接続可能な３ポジションスイッチを従来通りに信号線へ２つの主接点を並列接続して成る第１の３ポジションスイッチ（３ポジション基本スイッチ）に対し、第２の３ポジションスイッチ（押込みモニタスイッチ）の２つの補助接点を直列接続した上、信号系として各主接点及び各補助接点のうちのそれぞれ一つのものの組み合わせを第１のスイッチとし、且つ残りのそれぞれ一つのものの組み合わせを第２のスイッチとして構成したものにあって、基本機能動作を変更して押込み操作による非押込み時の第１の位置（ポジション１）で３ポジション基本スイッチの各主接点を開成すると共に、押込みモニタスイッチの各補助接点を閉成して信号線を導通遮断し、押込み時の第１の位置（ポジション１）から第２の位置（ポジション２）に移行したときに各主接点の一方のみを閉成すると共に、各補助接点を閉成維持して信号線を導通させ、押込み時の第２の位置（ポジション２）から第３の位置（ポジション３）に移行したときに各主接点の両方を開成すると共に、各補助接点の一方を開成し、且つ他方を閉成維持して信号線を導通遮断するようにした上、基本機能動作後の更なる回路全体の導通を遮断するための押込み操作により第３の位置（ポジション３）から第２の位置（ポジション２）へ復帰したときには、各主接点を開成維持すると共に、各補助接点の一方を開成維持し、且つ他方を閉成維持して信号線を導通遮断するようにし、第２の位置（ポジション２）から第１の位置（ポジション１）へ復帰したときには、各主接点を開成維持すると共に、各補助接点の一方を閉成し、且つ他方を閉成維持して信号線を導通遮断するようにしているので、信号線へ２系統の３ポジションスイッチを接続可能な回路構成にあっての１系統のみの操作又は２系統の同時操作に際しても誤動作無く安定したオン・オフの切り替え動作が可能となり、基本動作が安定して異常状態を生じることの無い信頼性の高い３ポジションスイッチ及びその接続方法を適用できるようになるので、各種産業用装置への適用が従来よりも一層好適となる。
【図面の簡単な説明】
【図１】本発明の２系統の３ポジションスイッチを接続可能な３ポジションスイッチの接続方法の動作原理を説明するための回路構成を押込み具合いに対応する押込み状態を付加して示したものであり、（ａ）はポジション１に関するもの，（ｂ）はポジション２に関するもの，（ｃ）はポジション３に関するもの，（ｄ）はポジション３からポジション２への復帰時に関するもの，（ｅ）はポジション２からポジション１への復帰時に関するものである。
【図２】図１で説明した３ポジションスイッチの接続方法を適用した本発明の一つの実施の形態に係る３ポジションスイッチの基本構成を示したもので、（ａ）は全体の外観斜視図に関するもの，（ｂ）は一部を破断した短手方向からの側面図に関するものである。
【図３】図２で説明した３ポジションスイッチの主接点接続構造の細部を示したもので、（ａ）は長手方向からの側面図に関するもの，（ｂ）は要部の外観斜視図に関するものである。
【図４】図２で説明した３ポジションスイッチの補助接点接続構造の細部を示したもので、（ａ）は長手方向からの側面図に関するもの，（ｂ）は要部の外観斜視図に関するものである。
【図５】図３（ａ），（ｂ）並びに図４（ａ），（ｂ）で説明した主接点接続構造の要部である主接点用スライド板、及び補助接点接続構造の要部である補助接点用スライド板の押込み具合いに対応するスライド状態を回路構成及び押込み状態を付加して示したものであり、（ａ）はポジション１に関するもの，（ｂ）はポジション２に関するもの，（ｃ）はポジション３に関するもの，（ｄ）はポジション３からポジション２への復帰時に関するもの，（ｅ）はポジション２からポジション１への復帰時に関するものである。
【図６】従来の汎用的な３ポジションスイッチの回路構成を示したものである。
【図７】図６に示す３ポジションスイッチの動作モードを示した回路構成であり、（ａ）はポジション２に関するもの，（ｂ）はポジション３に関するもの，（ｃ）はポジション３からポジション１への復帰時での正常状態に関するもの，（ｄ）はポジション３からポジション１への復帰時での異常状態に関するものである。
【図８】従来の２系統の３ポジションスイッチを接続可能な３ポジションスイッチの回路構成及び押込み状態を示したものである。
【図９】図８に示す３ポジションスイッチにおける各接点の接続動作に伴う動作モードを示した回路構成であり、（ａ）は押込み状態２に関するもの，（ｂ）は押込み状態３に関するもの，（ｃ）は押込み状態４に関するもの，（ｄ）は押込み状態５に関するもの，（ｅ）は押込み状態６に関するものである。
【図１０】図８に示す３ポジションスイッチにおける図９（ｄ）に示した押込み状態５で生じる異常動作時の回路構成を示したものである。
【符号の説明】
１　キートップ
１ａ　ボッチ
２　ケース
３　ガイド板
４　主接点用スライド板
４ａ，５ａ　カム溝
５　補助接点用スライド板
６　主接点用スイッチ
７　補助接点用スイッチ
ｐ１，ｐ２　主接点
ｑ１，ｑ２　補助接点
ＳＷ１，ＳＷ２　スイッチ
【図１】
2004087187.tif 000003
【図２】
2004087187.tif 000004
【図３】
2004087187.tif 000005
【図４】
2004087187.tif 000006
【図５】
2004087187.tif 000007
【図６】
2004087187.tif 000008
【図７】
2004087187.tif 000009
【図８】
2004087187.tif 000010
【図９】
2004087187.tif 000011
【図１０】
2004087187.tif 000012